(57)【要約】【課題】気密性を向上させる。【解決手段】一方のケースにおけるコ字状枠１２５の突起１２８と他方のケースにおけるコ字状枠１４５の突起１４８とが接触し、振動溶着等の手法により、一方のケースと他方のケースとが接合される。更に、ガスケット１６０は、突起１２８の端部と突起１４８の端部とに接触する位置に配置されるとともに、流入口を囲むように配置され、一方のケースにおける側面と他方のケースにおける側面とに接合される。【選択図】図３
2017096207.tif 000002
【特許請求の範囲】
【請求項１】
第１の箱状部材及び第２の箱状部材と、前記第１の箱状部材と前記第２の箱状部材とを接合する接合部材とにより構成されるエアクリーナであって、
前記第１の箱状部材は、
矩形状の第１のフィルタと、
前記第１のフィルタの外縁部に接合して屹立する４つの第１側面と、
前記第１側面のうち、１の第１側面において、前記第１のフィルタが接合される辺に対向する辺に形成される第１の切り欠き部と、
前記第１側面のうち、前記第１の切り欠き部が形成されていない第１側面において、前記第１のフィルタが接合される辺に対向する辺に沿って形成される第１の凸部と、
を備え、
前記第２の箱状部材は、
矩形状の第２のフィルタと、
前記第２のフィルタの外縁部に接合して屹立する４つの第２側面と、
前記第２側面のうち、１の第２側面において、前記第２のフィルタが接合される辺に対向する辺に形成される第２の切り欠き部と、
前記第２側面のうち、前記第２の切り欠き部が形成されていない第２側面において、前記第２のフィルタが接合される辺に対向する辺に沿って形成される第２の凸部と、
を備え、
前記第１の箱状部材と前記第２の箱状部材とは、前記第１の凸部と前記第２の凸部とが対向するとともに、前記第１の切り欠き部と前記第２の切り欠き部とが対向して接合し、
前記接合部材は、前記第１の凸部の端部と前記第２の凸部の端部とを覆うことを特徴とするエアクリーナ。
【請求項２】
前記接合部材は、環状であることを特徴とする請求項１に記載のエアクリーナ。
【請求項３】
前記接合部材は、前記第１側面のうち、前記第１の切り欠き部が形成される第１側面の外縁部と、前記第２側面のうち、前記第２の切り欠き部が形成される第２側面の外縁部とに密着することを特徴とする請求項２に記載のエアクリーナ。
【請求項４】
前記第１の箱状部材と前記第２の箱状部材とは同一形状であることを特徴とする請求項１〜３の何れか１項に記載のエアクリーナ。
【請求項５】
第１の箱状部材及び第２の箱状部材と、前記第１の箱状部材と前記第２の箱状部材とを接合する接合部材とにより構成されるエアクリーナの製造方法であって、
前記第１の箱状部材は、
矩形状の第１のフィルタと、
前記第１のフィルタの外縁部に接合して屹立する４つの第１側面と、
前記第１側面のうち、１の第１側面において、前記第１のフィルタが接合される辺に対向する辺に形成される第１の切り欠き部と、
前記第１側面のうち、前記第１の切り欠き部が形成されていない第１側面において、前記第１のフィルタが接合される辺に対向する辺に沿って形成される第１の凸部と、
を備え、
前記第２の箱状部材は、
矩形状の第２のフィルタと、
前記第２のフィルタの外縁部に接合して屹立する４つの第２側面と、
前記第２側面のうち、１の第２側面において、前記第２のフィルタが接合される辺に対向する辺に形成される第２の切り欠き部と、
前記第２側面のうち、前記第２の切り欠き部が形成されていない第２側面において、前記第２のフィルタが接合される辺に対向する辺に沿って形成される第２の凸部と、
を備えており、
前記第１の箱状部材と前記第２の箱状部材とを、前記第１の凸部と前記第２の凸部とを対向させるとともに、前記第１の切り欠き部と前記第２の切り欠き部とを対向させて接合する接合ステップと、
前記第１の凸部の端部と前記第２の凸部の端部とを前記接合部材で覆う被覆ステップと、
を含むことを特徴とするエアクリーナの製造方法。
【請求項６】
前記接合ステップは、振動溶着により行われることを特徴とする請求項５に記載のエアクリーナの製造方法。
【発明の詳細な説明】
【技術分野】
【０００１】
本発明は、エアクリーナ、及び、エアクリーナの製造方法に関する。
【背景技術】
【０００２】
従来より、車両等において、車両のエンジンに供給する気体に混入したダスト等を除去するためのエアクリーナが用いられている（例えば、特許文献１）。このようなエアクリーナは、開口部からフィルタにかけて気体の経路が形成される。開口部から流入した気体は、フィルタによってダスト等が除去されて外部に流出する。
【先行技術文献】
【特許文献】
【０００３】
【特許文献１】特開２０１５−１２１１６５号公報
【発明の概要】
【発明が解決しようとする課題】
【０００４】
上述したエアクリーナにおいて、気体の清浄度を高めるためには、外部に流出する気体は全てフィルタを通過した気体であることが理想である。このため、エアクリーナの気密性を向上させる必要がある。
【０００５】
本発明は、問題点に鑑みてなされたものであり、気密性を向上させることを目的とする。
【課題を解決するための手段】
【０００６】
目的を達成するために、本発明の第１の観点に係るエアクリーナは、
第１の箱状部材及び第２の箱状部材と、前記第１の箱状部材と前記第２の箱状部材とを接合する接合部材とにより構成されるエアクリーナであって、
前記第１の箱状部材は、
矩形状の第１のフィルタと、
前記第１のフィルタの外縁部に接合して屹立する４つの第１側面と、
前記第１側面のうち、１の第１側面において、前記第１のフィルタが接合される辺に対向する辺に形成される第１の切り欠き部と、
前記第１側面のうち、前記第１の切り欠き部が形成されていない第１側面において、前記第１のフィルタが接合される辺に対向する辺に沿って形成される第１の凸部と、
を備え、
前記第２の箱状部材は、
矩形状の第２のフィルタと、
前記第２のフィルタの外縁部に接合して屹立する４つの第２側面と、
前記第２側面のうち、１の第２側面において、前記第２のフィルタが接合される辺に対向する辺に形成される第２の切り欠き部と、
前記第２側面のうち、前記第２の切り欠き部が形成されていない第２側面において、前記第２のフィルタが接合される辺に対向する辺に沿って形成される第２の凸部と、
を備え、
前記第１の箱状部材と前記第２の箱状部材とは、前記第１の凸部と前記第２の凸部とが対向するとともに、前記第１の切り欠き部と前記第２の切り欠き部とが対向して接合し、
前記接合部材は、前記第１の凸部の端部と前記第２の凸部の端部とを覆うことを特徴とする。
【０００７】
前記接合部材は、環状であるようにしてもよい。
【０００８】
前記接合部材は、前記第１側面のうち、前記第１の切り欠き部が形成される第１側面の外縁部と、前記第２側面のうち、前記第２の切り欠き部が形成される第２側面の外縁部とに密着するようにしてもよい。
【０００９】
前記第１の箱状部材と前記第２の箱状部材とは同一形状であるようにしてもよい。
【００１０】
目的を達成するために、本発明の第２の観点に係るエアクリーナの製造方法は、
第１の箱状部材及び第２の箱状部材と、前記第１の箱状部材と前記第２の箱状部材とを接合する接合部材とにより構成されるエアクリーナの製造方法であって、
前記第１の箱状部材は、
矩形状の第１のフィルタと、
前記第１のフィルタの外縁部に接合して屹立する４つの第１側面と、
前記第１側面のうち、１の第１側面において、前記第１のフィルタが接合される辺に対向する辺に形成される第１の切り欠き部と、
前記第１側面のうち、前記第１の切り欠き部が形成されていない第１側面において、前記第１のフィルタが接合される辺に対向する辺に沿って形成される第１の凸部と、
を備え、
前記第２の箱状部材は、
矩形状の第２のフィルタと、
前記第２のフィルタの外縁部に接合して屹立する４つの第２側面と、
前記第２側面のうち、１の第２側面において、前記第２のフィルタが接合される辺に対向する辺に形成される第２の切り欠き部と、
前記第２側面のうち、前記第２の切り欠き部が形成されていない第２側面において、前記第２のフィルタが接合される辺に対向する辺に沿って形成される第２の凸部と、
を備えており、
前記第１の箱状部材と前記第２の箱状部材とを、前記第１の凸部と前記第２の凸部とを対向させるとともに、前記第１の切り欠き部と前記第２の切り欠き部とを対向させて接合する接合ステップと、
前記第１の凸部の端部と前記第２の凸部の端部とを前記接合部材で覆う被覆ステップと、
を含むことを特徴とする。
【００１１】
前記接合ステップは、振動溶着により行われるようにしてもよい。
【発明の効果】
【００１２】
本発明によれば、気密性を向上させることができる。
【図面の簡単な説明】
【００１３】
【図１】実施形態に係るエアクリーナを構成する部品の外観斜視図である。
【図２】実施形態に係るエアクリーナの外観斜視図である。
【図３】実施形態に係るエアクリーナの接合箇所の拡大図である。
【図４】実施形態に係るエアクリーナユニットを構成する部品の外観斜視図である。
【図５】実施形態に係るエアクリーナユニットの外観斜視図である。
【発明を実施するための形態】
【００１４】
以下、本発明の実施形態について図面を参照しながら詳細に説明する。
【００１５】
図１は、実施形態に係るエアクリーナを構成する部品の外観斜視図であり、図２は、実施形態に係るエアクリーナの外観斜視図である。図１及び図２に示すように、エアクリーナ１００は、第１の箱状部材としてのケース１２０と、第２の箱状部材としてのケース１４０と、接合部材としてのガスケット１６０とにより構成される。
【００１６】
ケース１２０は、フィルタ１２２と、第１側面部としての側面１２４ａ、１２４ｂ、１２４ｃ、１２４ｄと、コ字状枠１２５とを含んで構成される。
【００１７】
フィルタ１２２は、矩形且つシート状であり、ガラス繊維、スポンジ等の発泡材、不織布、ろ紙等の紙、粒状の活性炭を織り込んだシート等により構成される。フィルタ１２２の表面は、所定ピッチの波状又は鋸状に形成されている。
【００１８】
第１側面部としての側面１２４ａ、１２４ｂ、１２４ｃ、１２４ｄは、樹脂等により形成される。フィルタ１２２の４つの辺には、側面１２４ａ、１２４ｂ、１２４ｃ、１２４ｄの１つの辺がこの順序で接合されている。また、側面１２４ａにおいて、フィルタ１２２と接合する辺の両端と接続する２つの辺には一方に側面１２４ｂ、他方に側面１２４ｄが接合されている。側面１２４ｂにおいて、フィルタ１２２と接合する辺の両端と接続する２つの辺には一方に側面１２４ａ、他方に側面１２４ｃが接合されている。側面１２４ｃにおいて、フィルタ１２２と接合する辺の両端と接続する２つの辺には一方に側面１２４ｂ、他方に側面１２４ｄが接合されている。側面１２４ｄにおいて、フィルタ１２２と接合する辺の両端と接続する２つの辺には一方に側面１２４ａ、他方に側面１２４ｃが接合されている。上述のように、フィルタ１２２、側面１２４ａ、１２４ｂ、１２４ｃ、１２４ｄが接合されることにより、箱状の部材が形成される。
【００１９】
側面１２４ａにおいて、フィルタ１２２と接合する辺と対向する辺の側には、第１の切り欠き部としての切り欠き部１２６が形成されている。また、側面１２４ｂ、１２４ｃ、１２４ｄにおいて、フィルタ１２２と接合する辺と対向する辺には、コ字状枠１２５が接合されている。コ字状枠１２５は、側面１２４ａと同様、樹脂等により形成されている。また、側面１２４ｂ、１２４ｄは、それぞれ側面１２４ａに接合する辺が、側面１２４ｃに接合する辺よりも長くなっている。
【００２０】
ケース１４０は、ケース１２０と同一の形状である。ケース１４０は、フィルタ１４２と、第２側面部としての側面１４４ａ、１４４ｂ、１４４ｃ、１４４ｄと、コ字状枠１４５とを含んで構成される。
【００２１】
フィルタ１４２は、フィルタ１２２と同様、矩形且つシート状であり、ガラス繊維、スポンジ等の発泡材、不織布、ろ紙等の紙、粒状の活性炭を織り込んだシート等により構成される。フィルタ１４２の表面は、所定ピッチの波状又は鋸状に形成されている。
【００２２】
第２側面部としての側面１４４ａ、１４４ｂ、１４４ｃ、１４４ｄは、樹脂等により形成される。フィルタ１４２の４つの辺には、側面１４４ａ、１４４ｂ、１４４ｃ、１４４ｄの１つの辺がこの順序で接合されている。また、側面１４４ａにおいて、フィルタ１４２と接合する辺の両端と接続する２つの辺には一方に側面１４４ｂ、他方に側面１４４ｄが接合されている。側面１４４ｂにおいて、フィルタ１４２と接合する辺の両端と接続する２つの辺には一方に側面１４４ａ、他方に側面１４４ｃが接合されている。側面１４４ｃにおいて、フィルタ１４２と接合する辺の両端と接続する２つの辺には一方に側面１４４ｂ、他方に側面１４４ｄが接合されている。側面１４４ｄにおいて、フィルタ１４２と接合する辺の両端と接続する２つの辺には一方に側面１４４ａ、他方に側面１４４ｃが接合されている。上述のように、フィルタ１４２、側面１４４ａ、１４４ｂ、１４４ｃ、１４４ｄが接合されることにより、箱状の部材が形成される。
【００２３】
側面１４４ａにおいて、フィルタ１４２と接合する辺と対向する辺の側には、第２の切り欠き部としての切り欠き部１４６が形成されている。また、側面１４４ｂ、１４４ｃ、１４４ｄにおいて、フィルタ１４２と接合する辺と対向する辺には、コ字状枠１４５が接合されている。コ字状枠１４５は、側面１４４ａと同様、樹脂等により形成されている。また、側面１４４ｂ、１４４ｄは、それぞれ側面１４４ａに接合する辺が、側面１４４ｃに接合する辺よりも長くなっている。
【００２４】
エアクリーナ１００の製造工程においては、ケース１２０が、フィルタ１２２が上面となるように配置されるとともに、ケース１４０が、フィルタ１４２が下面となるように配置される。また、ケース１２０とケース１４０とは、ケース１２０における切り欠き部１２６とケース１４０における切り欠き部１４６とが対向するように配置される。
【００２５】
更に、ケース１２０におけるコ字状枠１２５とケース１４０におけるコ字状枠１４５とを接触させ、振動溶着等の手法により、ケース１２０とケース１４０とを接合させる。これにより、ケース１２０における切り欠き部１２６とケース１４０における切り欠き部１４６とが一体化し、図２に示すように気体の流入口１２７が形成される。
【００２６】
その後、ガスケット１６０が、ケース１２０における側面１２４ａとケース１４０における側面１４４ａとに、流入口１２７を囲むようにして接合される。ガスケット１６０は、例えばゴムにより形成される環状の部材である。
【００２７】
エアクリーナ１００により気体を洗浄する際には、図２に示すように、気体がＡの方向から流入口１２７を通ってエアクリーナ１００の内部に取り込まれる。エアクリーナ１００の内部に取り込まれた気体は、上下のフィルタ１２２及び１４２によってダスト等が除去される。更に、ダスト等が除去された気体は、フィルタ１２２の上面とフィルタ１４２の下面とからエアクリーナ１００の外部に流出する。
【００２８】
図３は、実施形態に係るエアクリーナ１００におけるケース１２０とケース１４０との接合箇所の拡大図である。図３は、図２におけるＡの方向から見たＸ部分の拡大図である。
【００２９】
図３に示すように、ケース１２０におけるコ字状枠１２５の下面には第１の凸部としての突起１２８が形成されている。一方、ケース１４０におけるコ字状枠１４５の上面には第２の凸部としての突起１４８が形成されている。ケース１２０とケース１４０とが接合される際には、突起１２８と突起１４８とが接触し、振動溶着等の手法により接着される。
【００３０】
なお、図３は、図２におけるＸ部分を示しているが、図２におけるＹ部分においても同様に、ケース１２０におけるコ字状枠１２５の下面には第１の凸部としての突起１２８が形成され、ケース１４０におけるコ字状枠１４５の上面には第２の凸部としての突起１４８が形成され、更に、ケース１２０とケース１４０とが接合される際には、突起１２８と突起１４８とが接触し、振動溶着等の手法により接着される。
【００３１】
更に、ガスケット１６０は、突起１２８の端部と突起１４８の端部とに接触する位置に配置され、突起１２８の端部と突起１４８の端部とに密着するとともに、ケース１２０における側面１２４ａとケース１４０における側面１４４ａとに接合される。
【００３２】
図４は、実施形態に係るエアクリーナユニット３００を構成する部品の外観斜視図であり、図５は、実施形態に係るエアクリーナユニット３００の外観斜視図である。
【００３３】
図４に示すように、エアクリーナユニット３００は、エアクリーナ１００と、流入口側ケース２１０と、流入口部２２０と、弁２２２と、流出口側ケース２３０と、蓋２４０とにより構成される。
【００３４】
流入口側ケース２１０には、取り付け部２１２が設けられており、当該取り付け部２１２に流入口部２２０が取り付けられる。また、流入口部２２０には、弁２２２が設けられている。更に、流出口側ケース２３０には、排気口２３２が設けられている。
【００３５】
エアクリーナ１００は、流入口側ケース２１０と流出口側ケース２３０とに収容される。この際、エアクリーナ１００は、流入口１２７が形成される側が流入口側ケース２１０の取り付け部２１２の側に配置され、ガスケット１６０が、取り付け部２１２と密着する。また、エアクリーナ１００は、流入口１２７が形成される側と反対の側が流出口側ケース２３０の排気口２３２の側に配置される。
【００３６】
更に、流入口側ケース２１０において、流出口側ケース２３０の側と反対の側には、蓋２４０が取り付けられる。これにより、図５に示すようにエアクリーナユニット３００が構成される。作業者は、蓋２４０を開けることで収容されたエアクリーナ１００を取り出し、交換等を行うことができる。
【００３７】
上述したように、本実施形態のエアクリーナ１００において、ケース１２０はフィルタ１２２が上面となるように配置され、ケース１４０はフィルタ１４２が下面となるように配置されるとともに、ケース１２０における切り欠き部１２６とケース１４０における切り欠き部１４６とが対向するように配置される。また、ケース１２０におけるコ字状枠１２５の突起１２８とケース１４０におけるコ字状枠１４５の突起１４８とが接触し、振動溶着等の手法により、ケース１２０とケース１４０とが接合される。更に、ガスケット１６０は、突起１２８の端部と突起１４８の端部とに接触する位置に配置され、ケース１２０における側面１２４ａとケース１４０における側面１４４ａとに接合される。
【００３８】
このように、ガスケット１６０が、振動溶着等により一体化した突起１２８の端部と突起１４８の端部とに接触する位置に配置され、突起１２８の端部と突起１４８の端部とに密着することにより、流入口１２７からエアクリーナ１００に取り込まれた気体は、突起１２８の端部と突起１４８の端部の近傍から外部に漏れることが防止され、フィルタ１２２及びフィルタ１４２からのみ外部に流出することになる。すなわち、エアフィルタ１００内部の気密性が向上し、気体の洗浄度を高めることができる。
【００３９】
また、ガスケット１６０を環状にすることで、１つのガスケット１６０を図２のＸ部分とＹ部分の双方における突起１２８の端部と突起１４８の端部とに接触する位置に配置するだけでよく、製造工程を簡素化することができる。
【００４０】
また、ケース１２０とケース１４０とは同一形状であるため、それぞれ金型を用意する必要はなく、コストの削減及び製造工程の簡素化が可能となる。
【００４１】
以上、実施形態について説明したが、本発明は上述の実施形態に限定されるものではない。
【００４２】
例えば、ガスケット１６０は、ゴム状の部材に限定されず、例えばスポンジ等の発泡材であってもよい。また、ガスケット１６０は、突起１２８の端部と突起１４８の端部とに嵌合したり、接着剤によって接着されるようにしてもよい。また、ガスケット１６０は、環状の部材に限定されず、例えば、紐状の部材の先端同士を接合して環状の部材が形成されるようにしてもよい。また、ガスケット１６０に代えて、突起１２８の端部と突起１４８の端部とに接触する位置に配置され、突起１２８の端部と突起１４８の端部とに密着する部材を用いるようにしてもよい。
【００４３】
また、ケース１２０とケース１４０とは、同一の形状でなくてもよく、例えば、ケース１２０とケース１４０との形状が異なり、一方が他方に嵌合するようにしてもよい。
【００４４】
本発明は、本発明の広義の精神と範囲を逸脱することなく、様々な実施形態及び変形が可能とされるものである。上述した実施形態は、本発明を説明するためのものであり、本発明の範囲を限定するものではない。
【符号の説明】
【００４５】
１００  エアクリーナ
１２０、１４０  ケース
１２２、１４２  フィルタ
１２４ａ、１２４ｂ、１２４ｃ、１２４ｄ、１４４ａ、１４４ｂ、１４４ｃ、１４４ｄ  側面
１２５、１４５  コ字状枠
１２７  流入口
１２８、１４８  突起
２１０  流入口側ケース
２２０  流入口部
２２２  弁
２３０  流出口側ケース
２４０  蓋
３００  エアクリーナユニット
【図１】
2017096207.tif 000003
【図２】
2017096207.tif 000004
【図３】
2017096207.tif 000005
【図４】
2017096207.tif 000006
【図５】
2017096207.tif 000007
【手続補正書】
【提出日】平成28年5月30日(2016.5.30)
【手続補正１】
【補正対象書類名】特許請求の範囲
【補正対象項目名】全文
【補正方法】変更
【補正の内容】
【特許請求の範囲】
【請求項１】
第１の箱状部材及び第２の箱状部材と、前記第１の箱状部材と前記第２の箱状部材とを接合する弾性体からなる接合部材とにより構成されるエアクリーナであって、
前記第１の箱状部材は、
矩形状の第１のフィルタと、
前記第１のフィルタの外縁部に接合して屹立する４つの第１側面と、
前記第１側面のうち、１の第１側面において、前記第１のフィルタが接合される辺に対向する辺に形成される第１の切り欠き部と、
前記第１側面のうち、前記第１の切り欠き部が形成されていない第１側面において、前記第１のフィルタが接合される辺に対向する辺に沿って形成される振動溶着部である第１の凸部と、
を備え、
前記第２の箱状部材は、
矩形状の第２のフィルタと、
前記第２のフィルタの外縁部に接合して屹立する４つの第２側面と、
前記第２側面のうち、１の第２側面において、前記第２のフィルタが接合される辺に対向する辺に形成される第２の切り欠き部と、
前記第２側面のうち、前記第２の切り欠き部が形成されていない第２側面において、前記第２のフィルタが接合される辺に対向する辺に沿って形成される振動溶着部である第２の凸部と、
を備え、
前記第１の切り欠き部と前記第２の切り欠き部とが対向するとともに、前記第１の凸部と前記第２の凸部とが溶着した状態であり、
前記接合部材は、前記第１の凸部の端部と前記第２の凸部の端部とを覆うことを特徴とするエアクリーナ。
【請求項２】
前記接合部材は、環状であることを特徴とする請求項１に記載のエアクリーナ。
【請求項３】
前記接合部材は、前記第１側面のうち、前記第１の切り欠き部が形成される第１側面の外縁部と、前記第２側面のうち、前記第２の切り欠き部が形成される第２側面の外縁部とに密着することを特徴とする請求項２に記載のエアクリーナ。
【請求項４】
前記第１の箱状部材と前記第２の箱状部材とは同一形状であることを特徴とする請求項１〜３の何れか１項に記載のエアクリーナ。
【請求項５】
第１の箱状部材及び第２の箱状部材と、前記第１の箱状部材と前記第２の箱状部材とを接合する弾性体からなる接合部材とにより構成されるエアクリーナの製造方法であって、
前記第１の箱状部材は、
矩形状の第１のフィルタと、
前記第１のフィルタの外縁部に接合して屹立する４つの第１側面と、
前記第１側面のうち、１の第１側面において、前記第１のフィルタが接合される辺に対向する辺に形成される第１の切り欠き部と、
前記第１側面のうち、前記第１の切り欠き部が形成されていない第１側面において、前記第１のフィルタが接合される辺に対向する辺に沿って形成される振動溶着部である第１の凸部と、
を備え、
前記第２の箱状部材は、
矩形状の第２のフィルタと、
前記第２のフィルタの外縁部に接合して屹立する４つの第２側面と、
前記第２側面のうち、１の第２側面において、前記第２のフィルタが接合される辺に対向する辺に形成される第２の切り欠き部と、
前記第２側面のうち、前記第２の切り欠き部が形成されていない第２側面において、前記第２のフィルタが接合される辺に対向する辺に沿って形成される振動溶着部である第２の凸部と、
を備えており、
前記第１の箱状部材と前記第２の箱状部材とを、前記第１の切り欠き部と前記第２の切り欠き部とを対向させるとともに、前記第１の凸部と前記第２の凸部とを対向させて振動溶着により接着することによって接合する接合ステップと、
前記第１の凸部の端部と前記第２の凸部の端部とを前記接合部材で覆う被覆ステップと、
を含むことを特徴とするエアクリーナの製造方法。
【手続補正２】
【補正対象書類名】明細書
【補正対象項目名】０００６
【補正方法】変更
【補正の内容】
【０００６】
目的を達成するために、本発明の第１の観点に係るエアクリーナは、
第１の箱状部材及び第２の箱状部材と、前記第１の箱状部材と前記第２の箱状部材とを接合する弾性体からなる接合部材とにより構成されるエアクリーナであって、
前記第１の箱状部材は、
矩形状の第１のフィルタと、
前記第１のフィルタの外縁部に接合して屹立する４つの第１側面と、
前記第１側面のうち、１の第１側面において、前記第１のフィルタが接合される辺に対向する辺に形成される第１の切り欠き部と、
前記第１側面のうち、前記第１の切り欠き部が形成されていない第１側面において、前記第１のフィルタが接合される辺に対向する辺に沿って形成される振動溶着部である第１の凸部と、
を備え、
前記第２の箱状部材は、
矩形状の第２のフィルタと、
前記第２のフィルタの外縁部に接合して屹立する４つの第２側面と、
前記第２側面のうち、１の第２側面において、前記第２のフィルタが接合される辺に対向する辺に形成される第２の切り欠き部と、
前記第２側面のうち、前記第２の切り欠き部が形成されていない第２側面において、前記第２のフィルタが接合される辺に対向する辺に沿って形成される振動溶着部である第２の凸部と、
を備え、
前記第１の切り欠き部と前記第２の切り欠き部とが対向するとともに、前記第１の凸部と前記第２の凸部とが溶着した状態であり、
前記接合部材は、前記第１の凸部の端部と前記第２の凸部の端部とを覆うことを特徴とする。
【手続補正３】
【補正対象書類名】明細書
【補正対象項目名】００１０
【補正方法】変更
【補正の内容】
【００１０】
目的を達成するために、本発明の第２の観点に係るエアクリーナの製造方法は、
第１の箱状部材及び第２の箱状部材と、前記第１の箱状部材と前記第２の箱状部材とを接合する弾性体からなる接合部材とにより構成されるエアクリーナの製造方法であって、
前記第１の箱状部材は、
矩形状の第１のフィルタと、
前記第１のフィルタの外縁部に接合して屹立する４つの第１側面と、
前記第１側面のうち、１の第１側面において、前記第１のフィルタが接合される辺に対向する辺に形成される第１の切り欠き部と、
前記第１側面のうち、前記第１の切り欠き部が形成されていない第１側面において、前記第１のフィルタが接合される辺に対向する辺に沿って形成される振動溶着部である第１の凸部と、
を備え、
前記第２の箱状部材は、
矩形状の第２のフィルタと、
前記第２のフィルタの外縁部に接合して屹立する４つの第２側面と、
前記第２側面のうち、１の第２側面において、前記第２のフィルタが接合される辺に対向する辺に形成される第２の切り欠き部と、
前記第２側面のうち、前記第２の切り欠き部が形成されていない第２側面において、前記第２のフィルタが接合される辺に対向する辺に沿って形成される振動溶着部である第２の凸部と、
を備えており、
前記第１の箱状部材と前記第２の箱状部材とを、前記第１の切り欠き部と前記第２の切り欠き部とを対向させるとともに、前記第１の凸部と前記第２の凸部とを対向させて振動溶着により接着することによって接合する接合ステップと、
前記第１の凸部の端部と前記第２の凸部の端部とを前記接合部材で覆う被覆ステップと、
を含むことを特徴とする。
【手続補正４】
【補正対象書類名】明細書
【補正対象項目名】００１１
【補正方法】削除
【補正の内容】